(57)【要約】      （修正有）【課題】加湿器の構造をシンプルな形態にして掃除等のメンテナンスも行いやすく壊れにくい自然気化式の加湿器を提供する。【解決手段】上部に開口部を形成した透明な略球状体の水容器１と、水容器の開口部１ｂに被さる蓋状部２ａと蓋状部の下方に位置して水容器の水に浸かる水没部２ｃと蓋状部の上方に位置して水没部が揚水する水を蒸発させる気化部２ｂを素焼き陶器で一体成型した蒸発体とによって自然気化式の加湿器を形成した。【選択図】図１
0003219177.tif 000002
【実用新案登録請求の範囲】
【請求項１】
上部に開口部を形成した透明な略球状体の水容器と、前記水容器の開口部に被さる蓋状部とこの蓋状部の下方に位置して前記水容器の水に浸かる水没部と前記蓋状部の上方に位置して前記水没部が揚水する水を蒸発させる気化部を素焼き陶器で一体成型した蒸発体とを備えることを特徴とする加湿器。
【請求項２】
水容器は、前記略球状体に代えて、上部に開口部を有する略立方体状、又は前記立方体状に内接または外接する略円筒形状である請求項１に記載の加湿器。
【請求項３】
水容器は、全域が透明又は半透明であるか、又は水玉模様やストライプ模様を含む部分的に透明又は半透明である請求項１又は２に記載の加湿器。
【請求項４】
水容器は、ガラス製、又はアクリルを含むプラスチック製である請求項１〜３のいずれかに記載の加湿器。
【請求項５】
蒸発体の気化部と水没部は、アザラシやラッコを含む水棲哺乳類の上半身と下半身で形成した請求項１〜４のいずれかに記載の加湿器。
【請求項６】
蒸発体の気化部と水没部は、アザラシを含む水棲哺乳類以外の動物、又は前記動物以外の器物である請求項１〜５のいずれかに記載の加湿器。
【考案の詳細な説明】
【技術分野】
【０００１】
本考案は、素焼き陶器が有する毛細管現象を利用して容器内の水を自然気化させることにより、室内や車内等の乾燥を防ぐことができる加湿器に関する。
【背景技術】
【０００２】
電力等の動力を一切使用せず、毛細管現象を利用して揚水した水を蒸発させることにより湿気を周囲に自然放散させる自然気化式の加湿器は、特許文献１〜４などによって従来から数多く提案され、その中には実用に供されているものもある。
【０００３】
しかし、従来の自然気化式加湿器は、毛細管現象で揚水した水を蒸発させる蒸発体と、その蒸発体に水を供給する水容器から形成されているが、従来品は蒸発体の形態に嗜好を凝らした複雑なものが多く、シンプル形態の蒸発帯を備えたものはほとんど見当たらない。
【０００４】
蒸発体の形態が複雑であると、蒸発体のデザインに嗜好を凝らせた加湿器を造型して提供できる反面、蒸発体の形態が複雑なため、蒸発体に塵や埃が付着すると掃除が難しく、また蒸発体自体が変形にしたり壊れたりしやすいという取扱い上の難点がある。
【０００５】
更に、蒸発体の形態が複雑であると、加湿器全体のデザインバランス上、水容器の形態も複雑形態になり易く、結果として、シンプル形態で掃除等の取扱いが容易であり、且つ変形したり壊れたりし難い加湿器にはなっていなかった。
【先行技術文献】
【特許文献】
【０００６】
【特許文献１】実用新案登録第３１５２７７３号公報
【特許文献２】実用新案登録第３１６００７９号公報
【特許文献３】実用新案登録第３１６８３５４号公報
【特許文献４】実用新案登録第３１９２８０８号公報
【考案の概要】
【考案が解決しようとする課題】
【０００７】
本考案は、公知の自然気化式の加湿器における難点、即ち凝り過ぎた蒸発体の形態に鑑み、全体として極めてシンプルな形態であり、それ故に、室内での置き物としても複雑さのない端正な置き物として配置することができ、さらにはシンプル形態ゆえに掃除等のメンテナンスも行いやすく壊れにくい自然気化式の加湿器を提供することを課題とする。
【課題を解決するための手段】
【０００８】
上記課題を解決することを目的としてなされた本考案加湿器の構成は、上部に開口部を形成した透明な略球形状の水容器と、前記水容器の開口部に被さる蓋状部とこの蓋状部の下方に位置して前記水容器の水に浸かる水没部と前記蓋状部の上方に位置して前記水没部が揚水する水を蒸発させる気化部を素焼き陶器で一体成型した蒸発体とを備えることを特徴とする。
【考案の効果】
【０００９】
本考案は、自然気化式の加湿器を、上部に開口部を形成した透明な略球形状の水容器と、前記水容器の開口部に被さる蓋状部とこの蓋状部の下方に位置して前記水容器の水に浸かる水没部と前記蓋状部の上方に位置して前記水没部が揚水する水を蒸発させる気化部を素焼き陶器で一体成型した蒸発体とを備えて形成したから、全体として極めてシンプルな形態に形成することができ、また、一見して加湿器には見えない形態にできるから、テーブルやデスクの上に置く洒落た置物としても有用である。
【図面の簡単な説明】
【００１０】
【図１】本考案加湿器の一例の正面図。
【図２】図１の加湿器の縦断正面図。
【考案を実施するための形態】
【００１１】
次に、図を参照して本考案加湿器の実施の形態例について説明する。
図において、１は水容器で、ここでは全域が透明なガラス製又はプラスチック製の略真球状の球状体１ａの上部に、球状体１ａの直径よりも小さい内径の開口部１ｂを設けてあり、球状体１ａの底１ｃの外面は、設置安定性のため平坦に形成されている。なお、球状体１ａの大きさは、直径が略１００ｍｍ弱〜１５０ｍｍ程度、また、収容する水の容量は３５０〜５００ｃｃ程度であるが、本考案はこれらの数値に限定されるものではない。Ｗは水容器１に収容された水道水等の普通の水である。前記水容器１は、全域が半透明、または一部が透明又は半透明であってもよい。
【００１２】
２は、素焼き陶器製の蒸発体である。蒸発体２は、前記水容器１の開口部１ｂを塞ぐ大きさの蓋状部２ａと、蓋状部２ａを貫通した形の動物の一例としてアザラシ像Ｓにより形成されている。アザラシ像Ｓは、その上半身Ｓ１が蓋状部２ａの上方に位置する気化部２ｂとして、また下半身Ｓ２が前記蓋状部２ａの下方で、前記水Ｗの中に没する水没部２ｃとして、前記蓋状部２ａと一体に素焼きで形成されている。２ｄは、素焼きの前記蓋状部２ａの上面に塗った釉薬である。
【００１３】
素焼きの陶製器物は、器物全体がポーラスであるから水Ｗに浸けると毛細管現象を発現する。従って、アザラシ像Ｓによって形成した蒸発体２は図２に示すように下半身Ｓ２の水没部２ｃを水容器１の水Ｗの中に浸けると、前記水容器１の中の水Ｗを毛細管現象で上半身Ｓ１の側に吸上げる（揚水する）から、大気中に露出している上半身Ｓ１の気化部２ｂから自然気化（蒸発）し、本考案加湿器が置かれている空間を加湿する。因みに、実施例での気化速度は１０〜２０ｃｃ／２４ｈｒであった。
【００１４】
本考案において、前記水容器１の形態は、略球形状乃至略真球形状が好ましいが、本考案の水容器１は、前記略球形状に代えて、略立方体状や該立方体状に内接、又は外接する略円筒形状のものであってもよい。いずれの水容器１においてもその上面には、円形又は多角形の開口部１ｂを備えている。
【００１５】
前記水容器１は、全域が透明である。本考案において前記透明には半透明を含むものとする。水容器１の全部又は部分が透明または半透明であると水の有無や水量を確認する上で好ましい。部分的な透明又は半透明には、不透明部の中に配置した透明又は半透明の水玉模様やストライプ模様などの模様を含む。また、水容器１の材質は、透明又は半透明のガラス、または透明又は半透明のアクリルやポリカーボネートを含むプラスチックである。
【００１６】
本考案において、素焼きの陶器で一体成型される蓋状部２ａと水没部２ｃ及び気化部２ｂを備える蒸発体２は、例えば蒸発体２の気化部２ｂを前記アザラシ以外の動物の上半身の形態に、水没部２ｃを前記動物の下半身の形態にして前記蓋状部２ａと一体に素焼きの陶器で形成すると、アザラシ以外の動物が上半身を乗り出して水容器に下半身を浸けている姿の蒸発体２を形成することができる。
【００１７】
本考案においては、前記蒸発体２の気化部２ｂと水没部２ｃの形態を、前記アザラシ以外のラッコやオットセイなどの水棲哺乳類、前記水棲哺乳類以外の動物、前記動物以外の形態を呈する器物、例えばロケット、船、飛行機、新幹線、自動車、タワー、樹木、富士山、氷山、恐竜、怪獣等に似せた形態の蒸発体２にすることもできる。
【００１８】
前記蒸発体２において、気化部２ｂと水没部２ｃは素焼きのままであるが、蓋状部２ａについては、表面（上面、及び／又は、下面）に釉薬２ｄを塗って素焼きの蓋状部２ａからの水の蒸発を防ぐようにすることが望ましい。
【００１９】
本考案加湿器は以上の通りであって、ガラス製の球状体などの水容器に、下半身を水容器の中の水に浸けた状態でアザラシ等の動物の上半身を前記水容器の上に出したポーズにして素焼き陶器製の蒸発体を架装した形で自然気化式の加湿器に形成したから、簡単な構造でシンプルな形態の取り扱いやすい自然気化式の加湿器を低コストで提供することができる。
【符号の説明】
【００２０】
１  水容器
１ａ  球状体
１ｂ  開口部
１ｃ  底
Ｗ  水
２  蒸発体
２ａ  蓋状部
２ｂ  気化部
２ｃ  水没部
２ｄ  釉薬
Ｓ  アザラシ像
Ｓ１  上半身
Ｓ２  下半身
【図１】
0003219177.tif 000003
【図２】
0003219177.tif 000004
【手続補正書】
【提出日】平成30年10月2日(2018.10.2)
【手続補正１】
【補正対象書類名】実用新案登録請求の範囲
【補正対象項目名】全文
【補正方法】変更
【補正の内容】
【実用新案登録請求の範囲】
【請求項１】
上部に開口部を形成した透明な略球状体の水容器と、前記水容器の開口部に被さる蓋状部とこの蓋状部の下方に位置して前記水容器の水に浸かる水没部と前記蓋状部の上方に位置して前記水没部が揚水する水を蒸発させる気化部を素焼き陶器で一体成型した蒸発体とを備えることを特徴とする加湿器。
【請求項２】
水容器は、前記略球状体に代えて、上部に開口部を有する略立方体状、又は前記立方体状に内接または外接する略円筒形状である請求項１に記載の加湿器。
【請求項３】
水容器は、全域が透明又は半透明であるか、又は水玉模様やストライプ模様を含む部分的に透明又は半透明である請求項１又は２に記載の加湿器。
【請求項４】
水容器は、ガラス製、又はアクリルを含むプラスチック製である請求項１〜３のいずれかに記載の加湿器。
【請求項５】
蒸発体の気化部と水没部は、アザラシやラッコを含む水棲哺乳類の上半身と下半身を模した形状で形成した請求項１〜４のいずれかに記載の加湿器。
【請求項６】
蒸発体の気化部と水没部は、アザラシやラッコを含む水棲哺乳類以外の動物を模した形状、又は前記動物以外の器物を模した形状である請求項１〜４のいずれかに記載の加湿器。